【手続補正書】
【提出日】平成24年12月7日(2012.12.7)
【手続補正１】
【補正対象書類名】明細書
【補正対象項目名】発明の名称
【補正方法】変更
【補正の内容】
【発明の名称】連棟型栽培用ハウスおよび合成樹脂製のフィルム又はシート
【手続補正２】
【補正対象書類名】明細書
【補正対象項目名】０００１
【補正方法】変更
【補正の内容】
【０００１】
本発明は、連棟型栽培用ハウスおよび合成樹脂製のフィルム又はシートに関するものである。更に詳しくは、躯体に合成樹脂製のフィルム又はシートを展張して形成した外張りや骨組に展張した内張りを開閉する巻取器を有する栽培用ハウスにおいて、巻取器より上側の外張り又は内張りに、雨水又は結露水が溜まらないようにしたものに関する。
【手続補正３】
【補正対象書類名】明細書
【補正対象項目名】０００８
【補正方法】変更
【補正の内容】
【０００８】
（本発明の目的）
本発明は、骨組等の躯体に合成樹脂製のフィルム又はシートを展張して形成した外張りや内張りを開閉する巻取器を有する栽培用ハウスにおいて、展張状態の外張りや内張りと巻き取られたロール状態の外張りや内張り又は巻取軸との間で形成される窪みに雨水又は結露水が溜まらないようにすることにより、溜まった水の凍結により巻取器の操作ができなくなることや巻取軸を変形させたり破損させることを防止した連棟型栽培用ハウスおよび合成樹脂製のフィルム又はシートを提供することを目的とする。
【手続補正４】
【補正対象書類名】明細書
【補正対象項目名】００１０
【補正方法】変更
【補正の内容】
【００１０】
（１）本発明は、
中央部分が高く、両側部分が前記中央部分より低い屋根部分を有する単棟型の栽培用ハウスを幅方向に並設し、隣り合う棟の間に棟の長さ方向に設けられている排水樋を有する谷部を備える連棟型栽培用ハウスであって、
躯体と、
該躯体に展張されている合成樹脂製のフィルム又はシートからなる外張りと、
を有し、
前記谷部の排水樋は、底板と、該底板の幅方向の両側に斜め上方に傾斜して設けられた斜板を備え、
前記躯体の幅方向の両側には、
前記外張りの端縁部を固定している巻取軸を有し、前記外張りを開閉するときに前記巻取軸自体が前記躯体上又は躯体に沿って移動しながら外張りを巻き取り又は繰り出す巻取器を備え、
前記谷部側は、
前記外張りの端縁部を固定している巻取軸を有し、前記外張りを開閉するときに前記巻取軸自体が前記躯体上又は躯体に沿って移動しながら外張りを巻き取り又は繰り出す巻取器を備え、前記外張りは前記巻取器に巻かれた状態で前記排水樋の斜板上に載せ置かれており、
前記屋根部分の下側にアーチ状のパイプで構成された内張り用の骨組をハウス内に備え、該骨組の上面側には合成樹脂製のフィルム又はシートを展張して内張りが設けられており、
該内張りの両側には、
内張りの端縁部を固定している巻取軸を有し、前記内張りを開閉するときに前記巻取軸自体が前記骨組上又は骨組に沿って移動しながら内張りを巻き取り又は繰り出す巻取器を備え、
該巻取器で前記内張りを、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔が備わる、
連棟型栽培用ハウスである。
【手続補正５】
【補正対象書類名】明細書
【補正対象項目名】００１１
【補正方法】変更
【補正の内容】
【００１１】
連棟型栽培用ハウスは、巻取器で外張りの下側を、閉じたときの位置から開き位置まで巻き上げて停止させたときの前記巻取器より上側の巻き取られていない展張状態の外張りには、巻き取られたロール状態の外張りとの間で形成される窪みに溜まる雨水を排出するための透水孔が備わっているのが推奨される。
【手続補正６】
【補正対象書類名】明細書
【補正対象項目名】００１２
【補正方法】変更
【補正の内容】
【００１２】
（２）本発明は、
中央部分が高く両側部分が前記中央部分より低い屋根部分を有する単棟型の栽培用ハウスを幅方向に並設し、前記屋根部分の下側にアーチ状のパイプで構成された内張り用の骨組を備える連棟型栽培用ハウスの前記骨組の上面側に展張する合成樹脂製のフィルム又はシートであって、
該合成樹脂製のフィルム又はシートを前記骨組の上面側に展張して内張りが設けられ、
該内張の両側に、前記内張りの端縁部を固定する巻取軸を有し、前記内張りを開閉するときに前記巻取軸自体が前記骨組上又は骨組に沿って移動しながら内張りを巻き取り又は繰り出す巻取器が備えられ、
該巻取器で前記内張りを、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔を有する、
栽培用ハウスに使用する合成樹脂製のフィルム又はシートである。
【手続補正７】
【補正対象書類名】明細書
【補正対象項目名】００１３
【補正方法】変更
【補正の内容】
【００１３】
本明細書及び特許請求の範囲にいう「展張」とは、フィルム又はシートを展開して（拡げて）張設するという意味を含むものである。
また、本明細書及び特許請求の範囲にいう「外張り」、「内張り」は、透光性を有する合成樹脂製のフィルム又は概念的にはその厚さがフィルムよりやや厚いとされるシートからなるものである。合成樹脂製のフィルム又はシートの材料としては、例えばポリ塩化ビニル(PVC)、ポリエステル(PE)、ポリプロピレン（PP）等があげられるが、これらに限定されるものではない。
【手続補正８】
【補正対象書類名】明細書
【補正対象項目名】００１４
【補正方法】変更
【補正の内容】
【００１４】
（作用）
本発明に係る栽培用ハウスの作用を説明する。
栽培用ハウスは、巻取器の停止位置に、展張状態の外張りや内張りと巻き取られたロール状態の外張りや内張り又は前記巻取軸との間で形成される窪みに溜まる雨水又は結露水を排出するための透水孔が所要数設けられているので、前記窪みに雨水又は結露水が溜まらないようにすることができる。
これにより、前記窪みに溜まった水の凍結により巻取器の操作ができなくなることや巻取軸を変形させたり破損させることを防止することができる。
【手続補正９】
【補正対象書類名】明細書
【補正対象項目名】００１６
【補正方法】変更
【補正の内容】
【００１６】
本発明は、躯体に合成樹脂製のフィルム又はシートを展張して形成した外張りや骨組に展張された内張りに、それらを開閉する巻取器を有する栽培用ハウスにおいて、巻取器の停止位置に、展張状態の外張り又は内張りと、巻き取られたロール状態の外張り又は内張り若しくは巻取軸との間で形成される窪みに溜まる雨水又は結露水を排出するための透水孔が所要数設けられているので、前記窪みに雨水又は結露水が溜まらないようにすることができる。
これにより、前記窪みに溜まった水の凍結により巻取器の巻取軸を回転させる操作ができなくなることや内部で凍結した水によって巻取軸を変形させたり破損させることを防止した栽培用ハウスを提供することができる。
【手続補正１０】
【補正対象書類名】明細書
【補正対象項目名】００１７
【補正方法】変更
【補正の内容】
【００１７】
【図１】本発明に係る単棟型の栽培用ハウスの参考例を示す概略正面図。
【図２】図１におけるＰ１部の斜視説明図。
【図３】本発明に係る連棟型の栽培用ハウスの実施の形態を示す概略正面図。
【図４】図３におけるＰ２部の斜視説明図。
【手続補正１１】
【補正対象書類名】明細書
【補正対象項目名】００１８
【補正方法】変更
【補正の内容】
【００１８】
〔参考例〕
図１及び図１のＰ１部分を説明する図２を参照する。
【手続補正１２】
【補正対象書類名】明細書
【補正対象項目名】００２０
【補正方法】変更
【補正の内容】
【００２０】
外張り２においてパイプ１０の軸線方向の両端部には、それぞれ巻取器４を備えている。巻取器４は、栽培用ハウスＡ１の長さとほぼ同じ長さの巻取軸４０を有し、巻取軸４０の両端部に巻取軸４０を手動で回転させるためのハンドル４１（図２では省略）を有している。巻取軸４０には、外張り２の先端縁部が固定具（図示省略）で固定されている。
【手続補正１３】
【補正対象書類名】明細書
【補正対象項目名】００２９
【補正方法】変更
【補正の内容】
【００２９】
〔実施の形態１〕
図３及び図３のＰ２部分を説明する図４を参照する。
連棟型の栽培用ハウスＡ２は、躯体１ａ、１ｂに合成樹脂製（本実施の形態ではポリ塩化ビニル製）のフィルムを展張して外張り２ａ、２ｂが形成されており、単棟型の栽培用ハウスを幅方向に一体に並設した構造を有している。栽培用ハウスＡ２は、幅方向の中央に多数の支柱６を有しており、各支柱６の上端には、栽培用ハウスＡ２の長さ方向に排水樋７が水平に固定されている。排水樋７は、水平な底板７０と、その幅方向両側に斜め上方へ傾斜して設けられた斜板７１で構成されている。
【手続補正１４】
【補正対象書類名】明細書
【補正対象項目名】００３１
【補正方法】変更
【補正の内容】
【００３１】
栽培用ハウスＡ２において、両棟の幅方向の外側には、前記栽培用ハウスＡ１と同様にして外張り２ａの先端に巻取器４ａ、外張り２ｂの先端に巻取器４ｂを備えている。外張り２ａ、２ｂの幅方向下側を開けるときの巻取器４ａ、４ｂの巻き上げ位置（開き位置）Ｈ３は、前記栽培用ハウスＡ１の巻取器４の開き位置Ｈ２よりやや高くなるように、具体的には後述する内張り８ａ、８ｂのパイプ８０の取付位置近傍とほぼ同じ高さになるように設定されている。
【手続補正１５】
【補正対象書類名】明細書
【補正対象項目名】００３３
【補正方法】変更
【補正の内容】
【００３３】
また、栽培用ハウスＡ２において、両棟の外張り２ａ、２ｂで形成される谷部（Ｐ２部分）には、外張り２ａ、２ｂの基端に前記栽培用ハウスＡ１の各巻取器４と同様にして巻取器４ａ、４ｂを備えている。これら巻取器４ａ、４ｂは、前記排水樋７の底板７０近傍に位置させることができる。外張り２ａ、２ｂにおいて、谷部にある巻取器４ａ、４ｂで外張り２ａ、２ｂを巻き戻して外張り２ａ、２ｂの下側を閉じたとき（図３、図４参照）の位置（閉じ位置）Ｈ４より上側の巻き取られていない部分には、透水孔２１ａ、２１ｂが前記外張り２の透水孔２１と同様に形成されている。
【手続補正１６】
【補正対象書類名】明細書
【補正対象項目名】００３６
【補正方法】変更
【補正の内容】
【００３６】
内張り８ａ、８ｂにおいてパイプ８０の軸線方向の両端部には、それぞれ前記栽培用ハウスＡ１の外張り２に設けられている巻取器４と同様の巻取器４ｃ、４ｄを備えている。巻取器４ｃ、４ｄは、巻取軸（符号省略）を回転させて内張り８ａ、８ｂを巻き取ることにより、巻取器４ｃ、４ｄが内方向へ移動して内張り８ａ、８ｂの幅方向の両側を開けることができる。また、巻取軸を前記とは逆方向に回転させて内張り８ａ、８ｂを巻き戻すことにより、巻取器４ｃ、４ｄを外方向へ移動させて内張り８ａ、８ｂを閉じることができる。
【手続補正１７】
【補正対象書類名】特許請求の範囲
【補正対象項目名】全文
【補正方法】変更
【補正の内容】
【特許請求の範囲】
【請求項１】
中央部分が高く、両側部分が前記中央部分より低い屋根部分を有する単棟型の栽培用ハウスを幅方向に並設し、隣り合う棟の間に棟の長さ方向に設けられている排水樋を有する谷部を備える連棟型栽培用ハウスであって、
躯体と、
該躯体に展張されている合成樹脂製のフィルム又はシートからなる外張りと、
を有し、
前記谷部の排水樋は、底板と、該底板の幅方向の両側に斜め上方に傾斜して設けられた斜板を備え、
前記躯体の幅方向の両側には、
前記外張りの端縁部を固定している巻取軸を有し、前記外張りを開閉するときに前記巻取軸自体が前記躯体上又は躯体に沿って移動しながら外張りを巻き取り又は繰り出す巻取器を備え、
前記谷部側は、
前記外張りの端縁部を固定している巻取軸を有し、前記外張りを開閉するときに前記巻取軸自体が前記躯体上又は躯体に沿って移動しながら外張りを巻き取り又は繰り出す巻取器を備え、前記外張りは前記巻取器に巻かれた状態で前記排水樋の斜板上に載せ置かれており、
前記屋根部分の下側にアーチ状のパイプで構成された内張り用の骨組をハウス内に備え、該骨組の上面側には合成樹脂製のフィルム又はシートを展張して内張りが設けられており、
該内張りの両側には、
内張りの端縁部を固定している巻取軸を有し、前記内張りを開閉するときに前記巻取軸自体が前記骨組上又は骨組に沿って移動しながら内張りを巻き取り又は繰り出す巻取器を備え、
該巻取器で前記内張りを、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔が備わる、
連棟型栽培用ハウス。
【請求項２】
巻取器で外張りの下側を、閉じたときの位置から開き位置まで巻き上げて停止させたときの前記巻取器より上側の巻き取られていない展張状態の外張りには、巻き取られたロール状態の外張りとの間で形成される窪みに溜まる雨水を排出するための透水孔が備わっている、
請求項１記載の連棟型栽培用ハウス。
【請求項３】
中央部分が高く両側部分が前記中央部分より低い屋根部分を有する単棟型の栽培用ハウスを幅方向に並設し、前記屋根部分の下側にアーチ状のパイプで構成された内張り用の骨組を備える連棟型栽培用ハウスの前記骨組の上面側に展張する合成樹脂製のフィルム又はシートであって、
該合成樹脂製のフィルム又はシートを前記骨組の上面側に展張して内張りが設けられ、
該内張の両側に、前記内張りの端縁部を固定する巻取軸を有し、前記内張りを開閉するときに前記巻取軸自体が前記骨組上又は骨組に沿って移動しながら内張りを巻き取り又は繰り出す巻取器が備えられ、
該巻取器で前記内張りを、閉じたときの位置から開き位置まで巻き上げて停止させたときの巻取器より上側の巻き取られていない展張状態の内張りには、巻き取られたロール状態の内張りとの間で形成される窪みに溜まる結露水を排出するための透水孔を有する、
栽培用ハウスに使用する合成樹脂製のフィルム又はシート。